(57)【要約】      （修正有）【課題】実装されたワイヤレス規格のタイプにかかわらず、ユーザ機器から送信電力を効果的に管理する。【解決手段】ワイヤレスユーザ機器デバイスが制御チャネルとデータチャネルとを送信する。制御チャネルおよびデータチャネルの各々が複数のタイムスロットを含む。制御チャネルは、制御情報を送信するように構成され、送信タイムスロットと非送信タイムスロットの両方を含む。データチャネルは、データパケットを送信するように構成される。デバイスは、制御チャネル送信タイムスロットに並行するデータチャネルタイムスロット中に送信するようにデータパケットをスケジュールするように構成されたプロセッサと、制御チャネル送信タイムスロットに並行するデータチャネルタイムスロット中にデータパケットを送信するように構成された送信モジュールとをさらに含む。【選択図】図１
2014042277.tif 000002
【特許請求の範囲】
【請求項１】
制御チャネルとデータチャネルとを送信し、前記制御チャネルおよび前記データチャネルの各々が複数のタイムスロットを備える、ワイヤレス端末のための送信を最適化する方法であって、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールすることと、
制御情報を送信するように構成された前記少なくとも１つのあらかじめ決定された制御チャネルタイムスロットに並行する前記少なくとも１つのデータチャネルタイムスロット中に前記少なくとも１つのデータパケットを送信することと
を備える方法。
【請求項２】
前記少なくとも１つのデータパケットが複数のデータパケットを備え、前記少なくとも１つのデータチャネルタイムスロットが、制御情報を送信するように構成された複数のあらかじめ決定された制御チャネルタイムスロットに並行する複数のデータチャネルタイムスロットを備える、請求項１に記載の方法。
【請求項３】
少なくとも１つのデータパケットをスケジュールすることが、指定された非送信期間からあらかじめ決定された送信期間中の少なくとも１つのデータチャネルタイムスロットに、前記少なくとも１つのデータパケットを遅延させることを備える、請求項１に記載の方法。
【請求項４】
少なくとも１つのデータパケットをスケジュールすることが、指定された非送信期間からあらかじめ決定された送信期間中の少なくとも１つのデータチャネルタイムスロットに、前記少なくとも１つのデータパケットを前進させることを備える、請求項１に記載の方法。
【請求項５】
あらかじめ決定された送信期間中の少なくとも１つのデータチャネルタイムスロットに２つ以上のデータパケットを連結することをさらに備える、請求項１に記載の方法。
【請求項６】
複数のタイムスロットのうちの少なくとも１つの内でデータパケットを送信するワイヤレス端末のための送信を最適化する方法であって、
データパケットを２つ以上のサブパケットに分割することと、
別々の時間期間中に送信するように前記２つ以上のサブパケットの各々をスケジュールすることと、
前記別々の時間期間中に前記２つ以上のサブパケットを送信することと、ここで、前記別々の時間期間中に前記２つ以上のサブパケットを送信するために必要なエネルギーレベルが、分割される前の前記データパケットを送信するために必要なエネルギーレベルよりも小さい、
を備える方法。
【請求項７】
制御チャネルとデータチャネルとを送信し、前記制御チャネルおよび前記データチャネルの各々が複数のタイムスロットを備える、ワイヤレス端末からの送信を最適化するための、プロセッサが実行するための機械実行可能命令を有する機械可読媒体であって、前記実行される命令が、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールすることと、
制御情報を送信するように構成された前記少なくとも１つのあらかじめ決定された制御チャネルタイムスロットに並行する前記少なくとも１つのデータチャネルタイムスロット中に前記少なくとも１つのデータパケットを送信することと
を備えるステップを実施する、機械可読媒体。
【請求項８】
前記少なくとも１つのデータパケットが複数のデータパケットを備え、前記少なくとも１つのデータチャネルタイムスロットが、制御情報を送信するように構成された複数のあらかじめ決定された制御チャネル送信タイムスロットに並行する複数のデータチャネルタイムスロットを備える、請求項７に記載の機械可読媒体。
【請求項９】
少なくとも１つのデータパケットをスケジュールすることが、指定された非送信期間からあらかじめ決定された送信期間中の少なくとも１つのデータチャネルタイムスロットに、前記少なくとも１つのデータパケットを遅延させることを備える、請求項７に記載の機械可読媒体。
【請求項１０】
少なくとも１つのデータパケットをスケジュールすることが、指定された非送信期間からあらかじめ決定された送信期間中の少なくとも１つのデータチャネルタイムスロットに、前記少なくとも１つのデータパケットを前進させることを備える、請求項７に記載の機械可読媒体。
【請求項１１】
前記実行される命令が、あらかじめ決定された送信期間中の少なくとも１つのデータチャネルタイムスロットに２つ以上のデータパケットを連結することをさらに備える、請求項７に記載の機械可読媒体。
【請求項１２】
複数のタイムスロットのうちの少なくとも１つの内でデータパケットを送信するワイヤレス端末からの送信を最適化するための、プロセッサが実行するための機械実行可能命令を有する機械可読媒体であって、前記実行される命令が、
データパケットを２つ以上のサブパケットに分割することと、
別々の時間期間中に送信するように前記２つ以上のサブパケットの各々をスケジュールすることと、
前記別々の時間期間中に前記２つ以上のサブパケットを送信することと、ここで、前記別々の時間期間中に前記２つ以上のサブパケットを送信するために必要なエネルギーレベルが、分割される前の前記データパケットを送信するために必要なエネルギーレベルよりも小さい、
を備えるステップを実施する、機械可読媒体。
【請求項１３】
制御チャネルとデータチャネルとを送信し、前記制御チャネルおよび前記データチャネルの各々が複数のタイムスロットを備える、送信を最適化するためのワイヤレス端末デバイスであって、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールするための手段と、
送信するための前記少なくとも１つのデータパケットを記憶するための手段と、
制御情報を送信するように構成された前記少なくとも１つのあらかじめ決定された制御チャネルタイムスロットに並行する前記少なくとも１つのデータチャネルタイムスロット中に前記少なくとも１つのデータパケットを送信するための手段と
を備えるワイヤレス端末デバイス。
【請求項１４】
前記記憶するための手段が少なくとも１つのキューを備え、さらに、前記少なくとも１つのデータパケットが、送信前に前記少なくとも１つのキューに記憶される、請求項１３に記載のデバイス。
【請求項１５】
前記パケットをスケジュールするための手段がセレクタを備え、前記記憶するための手段が少なくとも１つのキューを備え、前記少なくとも１つのキューが、指定された非送信期間からあらかじめ決定された送信期間にパケットを遅延させるためのデータチャネルタイムスロットに対応し、前記セレクタが、前記少なくとも１つのキューに記憶するための前記少なくとも１つのデータパケットを選択する、請求項１３に記載のデバイス。
【請求項１６】
前記パケットをスケジュールするための手段がセレクタを備え、前記記憶するための手段が少なくとも１つのキューを備え、前記少なくとも１つのキューが、指定された非送信期間からあらかじめ決定された送信期間にパケットを前進させるためのデータチャネルタイムスロットに対応し、前記セレクタが、前記少なくとも１つのキューに記憶するための前記少なくとも１つのデータパケットを選択する、請求項１３に記載のデバイス。
【請求項１７】
前記パケットをスケジュールするための手段がセレクタを備え、前記記憶するための手段が少なくとも１つのキューを備え、前記少なくとも１つのキューが、あらかじめ決定された送信期間中のデータチャネルタイムスロットに対応し、前記セレクタが、前記少なくとも１つのキュー中の２つ以上のデータパケットを選択し、連結する、請求項１３に記載のデバイス。
【請求項１８】
複数のタイムスロットを備えるデータチャネルを送信する、送信を最適化するためのワイヤレス端末デバイスであって、
セレクタを使用して少なくとも１つのデータパケットを処理するための手段と、
前記セレクタが、入力ポートと出力ポートとを備え、前記セレクタが、機械可読媒体から前記入力ポートを通して前記少なくとも１つのデータパケットを受信することと、前記プロセッサからの命令に基づいて前記少なくとも１つのデータパケットを２つ以上のサブパケットに分割することと、前記２つ以上のサブパケットを記憶するように構成された複数のキューのうちの少なくとも１つに、前記出力ポートを通して前記２つ以上のサブパケットの各々を送信することとを行うように構成され、
別々の時間期間中に前記２つ以上のサブパケットを送信するための手段と、ここで、前記別々の時間期間中に前記２つ以上のサブパケットを送信するために必要なエネルギーレベルが、分割される前のある時間期間における前記少なくとも１つのデータパケットを送信するために必要なエネルギーレベルよりも小さい、
を備えるワイヤレス端末デバイス。
【請求項１９】
制御チャネルとデータチャネルとを送信し、前記制御チャネルおよび前記データチャネルの各々が複数のタイムスロットを備える、送信を最適化するためのワイヤレス端末デバイスであって、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールするように構成されたプロセッサと、
制御情報を送信するように構成された少なくとも１つのあらかじめ決定された制御チャネル送信タイムスロットに並行する前記少なくとも１つのデータチャネルタイムスロット中に前記少なくとも１つのデータパケットを送信するように構成された送信モジュールと
を備えるワイヤレス端末デバイス。
【請求項２０】
少なくとも１つのキューをさらに備え、前記少なくとも１つのデータパケットが、送信する前に前記少なくとも１つのキューに記憶される、請求項１９に記載のワイヤレス端末デバイス。
【請求項２１】
セレクタをさらに備え、前記プロセッサが、前記少なくとも１つのキューに記憶するための前記少なくとも１つのデータパケットを選択するように前記セレクタを操作するように構成され、前記少なくとも１つのキューが、指定された非送信期間からあらかじめ決定された送信期間にパケットを遅延させるためのデータチャネルタイムスロットに対応する、請求項２０に記載のワイヤレス端末デバイス。
【請求項２２】
セレクタをさらに備え、前記プロセッサが、前記少なくとも１つのキューに記憶するための前記少なくとも１つのデータパケットを選択するように前記セレクタを操作するように構成され、前記少なくとも１つのキューが、指定された非送信期間からあらかじめ決定された送信期間にパケットを前進させるためのデータチャネルタイムスロットに対応する、請求項２０に記載のワイヤレス端末デバイス。
【請求項２３】
セレクタをさらに備え、前記少なくとも１つのキューが、あらかじめ決定された送信期間中のデータチャネルタイムスロットに対応し、前記セレクタが、あらかじめ決定された送信期間中に送信するための前記少なくとも１つのキュー中の２つ以上のデータパケットを選択し、連結する、請求項２０に記載のワイヤレス端末デバイス。
【請求項２４】
複数のタイムスロットを備えるデータチャネルを送信するように構成された、送信エネルギーを温存するためのワイヤレス端末デバイスであって、
セレクタを使用して少なくとも１つのデータパケットを処理するように構成されたプロセッサと、
前記セレクタが、入力ポートと出力ポートとを備え、前記セレクタが、機械可読媒体から前記入力ポートを通してデータパケットを受信することと、前記プロセッサからの命令に基づいて前記少なくとも１つのデータパケットを２つ以上のサブパケットに分割することと、前記２つ以上のサブパケットを記憶するように構成された複数のキューのうちの少なくとも１つに、前記出力ポートを通して前記２つ以上のサブパケットを送信することとを行うように構成され、
前記プロセッサからの命令に基づいて別々の時間期間中に送信するように前記２つ以上のサブパケットをスケジュールするように構成され、前記別々の時間期間中に前記２つ以上のサブパケットを送信するようにさらに構成された送信モジュールと、ここで、前記別々の時間期間中に前記２つ以上のサブパケットを送信するために必要なエネルギーレベルが、分割される前のある時間期間における前記少なくとも１つのデータパケットを送信するために必要なエネルギーレベルよりも小さい、
を備えるワイヤレス端末デバイス。
【発明の詳細な説明】
【技術分野】
【０００１】
本開示は、一般にワイヤレス送信に関し、特に、送信スケジューリング最適化方法およびワイヤレスユーザ機器デバイスに関する。
【背景技術】
【０００２】
ワイヤレス通信システムは、一般に、少なくとも１つの共通事項、すなわち、ポータブル電源の要件を共有するポータブルワイヤレスデバイスを含む。電源を再充電または交換する前にポータブルワイヤレスデバイスが費やし得る時間量は、採用されるワイヤレス通信システムの要件、および通信システムによるポータブルワイヤレスデバイスへの制御パラメータの賦課を含む、多くのファクタに依存する。ワイヤレス通信システムは、少なくとも２つのポイント間のデータおよびボイス情報の転送を可能にする様々な方法を使用する。符号分割多元接続（ＣＤＭＡ）方式を採用するワイヤレス通信システムでは、あるスケジューリング方法は、モバイル端末固有のコードセットを割り当てる。基地局（ＢＳ）は、ＢＳとモバイル端末との間の専用の通信を可能にするために、モバイル端末に関連付けられたチャネルコードを実装する。
【０００３】
いくつかの規格は、モバイル端末からＢＳへのデータの送信のための専用チャネルを与える。たとえば、以下の３ＧＰＰ規格、すなわち、２５．２１１規格（バージョン７．６．０、名称「Physical Channels and Mapping of Transport Channels onto Physical Channels」）、２５．２１２規格（バージョン７．８．０、名称「Multiplexing and Channel Coding」）、２５．２１３規格（バージョン７．５．０、名称「Spreading and Modulation」）、および２５．２１４規格（セクション６．Ｃを含む、バージョン７．９．０、名称「Physical Layer Procedures」）は、それぞれそのような専用データチャネルを与える。これらの規格の下では、ＢＳは「ノードＢ」と呼ばれ、モバイル端末は「ユーザ機器」と呼ばれる。ユーザ機器は、ユーザ機器からノードＢにデータを送信するための「拡張アップリンク」として知られる専用データチャネルを与えられる。拡張アップリンクは、専用データチャネルとともに少なくとも１つの制御チャネルの送信を含む。少なくとも１つの制御チャネルは、あらかじめ決定された送信期間と、あらかじめ決定された非送信期間とを有する。拡張アップリンクの帯域幅は、ノードＢによって監視され、制御される。ノードＢは、ノードに結合されたすべてのユーザ機器のための送信帯域幅と送信電力要件とを、採用されたワイヤレス通信方法によって設定されるパラメータ内に設定する。
【０００４】
拡張アップリンクは専用データチャネルであるので、ユーザは、乱雑なおよび／または事実上連続的なデータ送信のためにそれらのユーザ機器を利用することができる。しかしながら、そのような使用は、ユーザ機器のポータブル電源を不必要に消耗し、それによって電源の再充電または交換が必要になるまで１つのユーザ機器が使用できる時間の長さを不必要に制限する。実装されたワイヤレス規格のタイプにかかわらず、ユーザ機器から送信電力を効果的に管理する能力は重要である。本明細書で提示する実施形態はこれらの問題に対処する。
【発明の概要】
【０００５】
例示的な実施形態による、ワイヤレス送信のための方法およびデバイスが提供される。いくつかの例示的な実施形態では、制御情報を送信するように構成されたあらかじめ決定された制御チャネルタイムスロットに並行するデータチャネルタイムスロット中に送信するようにデータパケットをスケジューリングすることによって、ユーザ機器デバイスからのワイヤレス送信を最適化するためのデバイスおよび方法が提供される。制御チャネルは、制御情報を送信するようにあらかじめ決定されたタイムスロットと、何も送信されないタイムスロットとを含む。制御情報を送信するように構成されたあらかじめ決定された制御チャネルタイムスロットに並行するデータチャネルタイムスロット中にデータチャネルに送信させることによって、制御チャネル上で何も送信されていない期間中に専用データチャネル上の送信が中止および／または制限されるので、送信電力およびシステムリソースが節約される。
【０００６】
一実施形態によれば、制御チャネルとデータチャネルとを送信し、制御チャネルおよびデータチャネルの各々が複数のタイムスロットを含む、ワイヤレス端末のための送信を最適化する方法であって、制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールすることと、制御情報を送信するように構成された少なくとも１つのあらかじめ決定された制御チャネルタイムスロットに並行する少なくとも１つのデータチャネルタイムスロット中に少なくとも１つのデータパケットを送信することとを含む方法が提供される。
【０００７】
一実施形態によれば、複数のタイムスロットのうちの少なくとも１つの内でデータパケットを送信するワイヤレス端末のための送信を最適化する方法であって、データパケットを２つ以上のサブパケットに分割することと、別々の時間期間中に送信するように２つ以上のサブパケットの各々をスケジュールすることと、別々の時間期間中に２つ以上のサブパケットを送信することと、ここで、別々の時間期間中に２つ以上のサブパケットを送信するために必要なエネルギーレベルが、分割される前のデータパケットを送信するために必要なエネルギーレベルよりも小さい、を含む、方法が提供される。
【０００８】
一実施形態によれば、制御チャネルとデータチャネルとを送信し、制御チャネルおよびデータチャネルの各々が複数のタイムスロットを備える、ワイヤレス端末からの送信を最適化するための、プロセッサが実行するための機械実行可能命令を有する機械可読媒体であって、実行される命令が、制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールすることと、制御情報を送信するように構成された少なくとも１つのあらかじめ決定された制御チャネルタイムスロットに並行する少なくとも１つのデータチャネルタイムスロット中に少なくとも１つのデータパケットを送信することとを含むステップを実施する、機械可読媒体が提供される。
【０００９】
一実施形態によれば、複数のタイムスロットのうちの少なくとも１つの内でデータパケットを送信するワイヤレス端末からの送信を最適化するための、プロセッサが実行するための機械実行可能命令を有する機械可読媒体であって、前記実行される命令が、データパケットを２つ以上のサブパケットに分割することと、別々の時間期間中に送信するように２つ以上のサブパケットの各々をスケジュールすることと、別々の時間期間中に２つ以上のサブパケットを送信することと、ここで、別々の時間期間中に２つ以上のサブパケットを送信するために必要なエネルギーレベルが、分割される前のデータパケットを送信するために必要なエネルギーレベルよりも小さい、を含むステップを実施する、機械可読媒体が提供される。
【００１０】
一実施形態によれば、送信を最適化するためのワイヤレス端末デバイスが提供される。デバイスは制御チャネルとデータチャネルとを送信し、制御チャネルおよびデータチャネルの各々が複数のタイムスロットを備える。デバイスは、制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールするための手段と、送信するための少なくとも１つのデータパケットを記憶するための手段と、制御情報を送信するように構成された少なくとも１つのあらかじめ決定された制御チャネルタイムスロットに並行する少なくとも１つのデータチャネルタイムスロット中に少なくとも１つのデータパケットを送信するための手段とを含む。
【００１１】
一実施形態によれば、送信を最適化するためのワイヤレス端末デバイスが提供される。デバイスは、複数のタイムスロットを備えるデータチャネルを送信する。デバイスは、セレクタを使用して少なくとも１つのデータパケットを処理するための手段と、ここで、セレクタが、入力ポートと出力ポートとを備え、セレクタが、機械可読媒体から入力ポートを通して少なくとも１つのデータパケットを受信することと、プロセッサからの命令に基づいて少なくとも１つのデータパケットを２つ以上のサブパケットに分割することと、２つ以上のサブパケットを記憶するように構成された複数のキューのうちの少なくとも１つに、出力ポートを通して２つ以上のサブパケットの各々を送信することとを行うように構成される、を含む。デバイスはまた、別々の時間期間中に２つ以上のサブパケットを送信するための手段と、ここで、別々の時間期間中に２つ以上のサブパケットを送信するために必要なエネルギーレベルが、分割される前のある時間期間における少なくとも１つのデータパケットを送信するために必要なエネルギーレベルよりも小さい、を含む。
【００１２】
一実施形態によれば、送信を最適化するためのワイヤレス端末デバイスが提供される。デバイスは制御チャネルとデータチャネルとを送信し、制御チャネルおよびデータチャネルの各々が複数のタイムスロットを備える。デバイスは、制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールするように構成されたプロセッサと、制御情報を送信するように構成された少なくとも１つのあらかじめ決定された制御チャネル送信タイムスロットに並行する少なくとも１つのデータチャネルタイムスロット中に少なくとも１つのデータパケットを送信するように構成された送信モジュールとを含む。
【００１３】
一実施形態によれば、複数のタイムスロットを備えるデータチャネルを送信するように構成され、送信エネルギーを節約するためのワイヤレス端末デバイスが提供される。ワイヤレス端末デバイスは、セレクタを使用して少なくとも１つのデータパケットを処理するように構成されたプロセッサと、ここで、セレクタが、入力ポートと出力ポートとを備え、セレクタが、機械可読媒体から入力ポートを通してデータパケットを受信することと、プロセッサからの命令に基づいて少なくとも１つのデータパケットを２つ以上のサブパケットに分割することと、２つ以上のサブパケットを記憶するように構成された複数のキューのうちの少なくとも１つに、出力ポートを通して２つ以上のサブパケットを送信することとを行うように構成される、を含む。デバイスはまた、プロセッサからの命令に基づいて別々の時間期間中に送信するように２つ以上のサブパケットをスケジュールするように構成され、別々の時間期間中に２つ以上のサブパケットを送信するようにさらに構成された送信モジュールと、ここで、別々の時間期間中に２つ以上のサブパケットを送信するために必要なエネルギーレベルが、分割される前のある時間期間における少なくとも１つのデータパケットを送信するために必要なエネルギーレベルよりも小さい、を含む。
【００１４】
本技術の様々な構成を例として図示および説明する以下の詳細な説明から、本技術の他の構成が容易に明らかになることが当業者には理解されよう。了解されるように、すべて本技術の範囲から逸脱しなければ、本技術は他の構成および異なる構成が可能であり、そのいくつかの詳細は様々な他の点で変更が可能である。したがって、図面および詳細な説明は、本質的に例示的なものと見なされるべきであり、限定的なものと見なされるべきではない。
【００１５】
本開示は、動作の構成と様式の両方に関して、以下の説明とともに図１〜図１０を含む図面を参照すれば、さらに理解できる。
【図面の簡単な説明】
【００１６】
【図１】例示的な一実施形態によるワイヤレス通信セルのブロック図。
【図２】本技術を適用するより前の例示的なアップリンクデータパケットチャネル送信を示す図。
【図３】制御チャネル送信タイムスロットと一致するタイムスロット中に送信するためにデータパケットが遅延および／または前進された、例示的な一実施形態を示す図。
【図４】本技術を適用するより前の例示的なアップリンクデータパケットチャネル送信を示す図。
【図５】制御チャネル送信タイムスロットと一致するタイムスロット中に送信するためにデータパケットが連結された例示的な一実施形態を示す図。
【図６】送信するためにデータパケットが分割された例示的な一実施形態を示す図。
【図７】例示的な一実施形態による命令および／または方法ステップのフローチャート。
【図８】例示的な一実施形態による命令および／または方法ステップのフローチャート。
【図９】様々な機能モジュールをもつ個々のユーザ機器デバイスを含む例示的な一実施形態のブロック図。
【図１０】様々な機能モジュールをもつ個々のユーザ機器デバイスを含む例示的な一実施形態のブロック図。
【発明を実施するための形態】
【００１７】
例示的な非限定的実施形態についての以下の説明では、特定の構成および構成要素を開示する。ただし、実施形態は例にすぎず、したがって、以下で説明される特定の特徴は、全体的な理解を与えるためにそのような実施形態について説明するために使用されるにすぎない。本実施形態が下記の特定の説明に限定されないことを、当業者は容易に認識されよう。さらに、当業者に知られている様々な構成および構成要素についてのいくつかの説明は、明快および簡潔のために省略する。さらに、「実施形態」という用語は、いくつかの態様について説明するために使用され得るが、「実施形態」という用語は、説明されるそれらの態様がその実施形態のみに当てはまることを意味すると解釈すべきではなく、開示のすべての態様またはいくつかの態様がすべての実施形態またはいくつかの実施形態に当てはまることを意味すると解釈すべきである。
【００１８】
本明細書で使用する「モバイル端末」および「基地局」という用語は排他的なものではない。たとえば、第３世代パートナーシッププロジェクト（3rd Generation Partnership Project）（３ＧＰＰ）規格を実装するシステムは、以前は「基地局」と呼ばれたこともあるものを「ノードＢ」と記述することがある。さらに、３ＧＰＰシステムは、以前は「移動局」または「ユーザ端末」と呼ばれたものを「ユーザ機器」と記述することがある。
【００１９】
本開示の本技術を、いくつかの実施形態では、３ＧＰＰ規格の下で採用されるものとして説明する。本技術のそのような説明は例として行われること、および、任意のデータパケット送信システムを含むために、３ＧＰＰ規格に加えて、本明細書で開示する技術を実行するために様々なワイヤレス通信規格が採用できることを理解されたい。
【００２０】
ある実施形態では、本開示は、ワイヤレスリンク上でボイス通信とデータ通信の両方を送信および受信するための方法を利用する。ユーザ間の通信は、１つまたは複数のノードまたは基地局を通して行われる。（３ＧＰＰ規格を採用するシステムなど）いくつかのワイヤレス通信システムでは、アップリンクは、信号が個々のユーザ機器（または加入者局）からノード（または基地局）に伝わるためのチャネルを指す。ダウンリンクは、信号がノードから個々のユーザ機器に伝わるためのチャネルを指すことができる。
【００２１】
アップリンク中でノードに送信されるデータは、次いで、そのノードがそのデータまたは通信を、別のユーザ機器に、またはデータベースまたは地上通信線を用いてワイヤレスシステムに接続されたコンピュータなど、他のロケーションに転送することを可能にする。別々のユーザ機器は、単一のノードによって、または複数のノードによってサービスできる。複数のノードは、データを、それらの間で、次いでそれぞれのユーザ機器に送信することができる。データは、ダウンリンク中で転送されるかアップリンク中で転送されるかにかかわらず、通常、「パケット」中か、あるいは情報のビットの蓄積および／または個々のビットからなるデータシンボルの蓄積中で転送される。データは、どんなタイプの情報でもよく、一般に１と０とを備えるビットとしてデジタル的に記憶される。個々のビットをまとめてビットワードを形成することができ、複数のビットワードを合わせてシンボル、または情報の集合を形成することができる。本明細書で使用する「データ」、「情報」、「ビット」、「ビットワード」、「ワード」、「シンボル」、「パケット」、「データ送信」、および「データパケット」は、それらがすべて、送信または転送すべき情報またはデータの量を記述するために使用される定量化パラメータであるという点で同義であるとする。
【００２２】
図１は、たとえば、通信のためにデータパケット送信方法を使用する、ワイヤレス通信システム１００のブロック図である。図に示すように、ノードＢ１１０は個々のユーザ機器１２０ａ、１２０ｂ〜１２０ｎと交信している。ノードＢ１１０は、大きい地理的エリアにわたってカバレージを与えるために、より広いネットワーク内の他のノード（図示せず）に接続できる。（１つまたは複数の）ノードは、インターネットなどの他のネットワーク、またはアドレス指定のためにＥ．１６３／Ｅ．１６４アドレス（または電話番号）を使用する公衆交換電話網（ＰＳＴＮ）などの固定電話ネットワーク、またはユニバーサル地上無線アクセスネットワーク（Universal Terrestrial Radio Access Network）（ＵＴＲＡＮ）に接続できる。
【００２３】
ユーザ機器１２０ａ〜１２０ｎは、タイプと量の両方に関して、任意の数のデバイスとすることができる。たとえば、ユーザ機器１２０は、任意の数のデバイスを備えることができ、統合デバイス、スマートフォン、セルフォン、ワイヤレスコンピュータ、携帯情報端末（ＰＤＡ）、エンタープライズデジタルアシスタント（ＥＤＡ）、または他のタイプの個々のユーザ機器を含む様々なタイプであるとすることができる。ノードＢ１１０は、複数の周波数レンジ内および複数のチャネル上で個々のユーザ機器１２０と通信することができる。
【００２４】
図１に、本技術の一態様による、ワイヤレス通信システムにおいて使用するための個々のユーザ機器１２０のための例示的な構成要素をも示す。ユーザ機器１２０は、任意のデータパケット転送通信システムにおいて本開示の技術を採用することができるが、本明細書では、ユーザ機器１２０を備える本技術の例示的な一実施形態を、３ＧＰＰ通信仕様を実装するワイヤレスシステムに関して説明する。
【００２５】
図１に示すように、ユーザ機器１２０は、プロセッサ１６０と、機械可読媒体１２５と、送信モジュール１３０と、セレクタ１４０と、データキュー１５０ａ、１５０ｂ、および１５０ｃとを含む。本技術の一実施形態では、プロセッサ１６０は、たとえば、ＵＳＢポートを通してユーザ機器１２０にアップロードされたデータのフローを制御する、および／または機械可読媒体１２５に記憶されたデータのフローを制御する。
【００２６】
本技術の以下の説明では、制御情報を送信するように構成された複数のあらかじめ決定された制御チャネルタイムスロットに並行する複数のデータチャネルタイムスロット内に少なくとも１つのデータパケットを前進(advance)および／または遅延(delay)させるおよび／または連結することができる実施形態について説明する。追加の実施形態では、データパケットを複数のデータチャネルタイムスロットの間で分割することについて説明する。これらの実施形態の実装により、本明細書で説明する潜在的な送信電力節約が行われる。
【００２７】
本技術の一実施形態では、ユーザ機器１２０は、ユーザ機器１２０からノードＢ１１０にデータを送信するための専用データチャネルと、少なくとも１つの制御チャネル（以下、「少なくとも１つの制御チャネル」、または単に「制御チャネル」）とを与えられる。制御チャネルは、送信電力レベル、およびユーザ機器１２０がノードＢ１１０からより大きい帯域幅を使用することができるか否かなど、データチャネルに関係する手続き的情報を送信する。特に、３ＧＰＰワイヤレス通信規格の下で実装される制御チャネルは、あらかじめ決定された送信期間とあらかじめ決定された非送信期間の両方を備える。
【００２８】
プロセッサ１６０は、制御チャネルのあらかじめ決定された送信および非送信期間に鑑みて、機械可読媒体１２５と、セレクタ１４０と、送信モジュール１３０とを制御する。専用データチャネル上で転送されることを意図されたデータは、ビット、ワード、ビットワード、シンボル、および／またはデータパケットとして機械可読媒体１２５にアップロードおよび／または記憶できる。プロセッサ１６０は、専用データチャネル上でセレクタ１４０に送信すべきデータを転送するように機械可読媒体１２５に命令する。セレクタ１４０は、プロセッサ１６０からの命令に基づいて、データパケットおよび／またはサブパケットのグループにデータを分離し、次いで、これらは（１つまたは複数の）キュー（たとえば、キュー１５０ａ、１５０ｂ、１５０ｃ）に転送されて、送信用の送信モジュール１３０への転送を待つ。セレクタ１４０は、キュー１５０ａ、１５０ｂ、および／または１５０ｃとの間でデータを転送し、再び戻し、および／またはキューとの間のデータを機械可読媒体１２５に転送するように構成できる。
【００２９】
プロセッサ１６０からの命令に基づいて、セレクタ１４０は、キュー１５０ｃによってサービスされる元の送信スケジュールから、キュー１５０ａによってサービスされる新しい送信スケジュールにデータパケットを前進させることができる。たとえば、前進されたデータパケットは、セレクタ１４０によって、元のデータチャネルタイムスロットを表すキューから、新しいデータチャネルタイムスロットを表すキューに移動でき、元のデータチャネルタイムスロットは、非送信期間として構成された制御チャネルタイムスロットに並行していたものであり、新しいデータチャネルタイムスロットは、制御情報を送信するように構成された制御チャネルタイムスロットに並行している。データパケットを前進させる追加の例について、図２および図３に関して以下で説明する。
【００３０】
プロセッサ１６０からの命令に基づいて、セレクタ１４０は、キュー１５０ａによってサービスされる元の送信スケジュールから、キュー１５０ｃによってサービスされる新しい送信スケジュールにデータパケットを遅延させることができる。たとえば、遅延されたデータパケットは、セレクタ１４０によって、元のデータチャネルタイムスロットを表すキューから、新しいデータチャネルタイムスロットを表すキューに移動でき、元のデータチャネルタイムスロットは、非送信期間として構成された制御チャネルタイムスロットに並行していたものであり、新しいデータチャネルタイムスロットは、制御情報を送信するように構成された制御チャネルタイムスロットに並行している。データパケットを遅延させる追加の例について、図２および図３に関して以下で説明する。
【００３１】
また、プロセッサ１６０からの命令に基づいて、セレクタ１４０は、１つまたは複数のキュー、たとえば、キュー１５０ｂおよびキュー１５０ｃによってサービスされる元の送信スケジュールから、２つ以上のデータパケットを、キュー１５０ａによってサービスされる新しい送信スケジュールに連結することができる。たとえば、連結されたデータパケットは、セレクタ１４０によって、（１つまたは複数の）元のデータチャネルタイムスロットを表すキュー（または複数のキュー）から、新しいデータチャネルタイムスロットを表すキューに移動でき、（１つまたは複数の）元のデータチャネルタイムスロットは、非送信期間として構成された制御チャネルタイムスロットに並行していたものであり、新しいデータチャネルタイムスロットは、制御情報を送信するように構成された制御チャネルタイムスロットに並行している。データパケットを連結する追加の例について、図４および図５に関して以下で説明する。
【００３２】
いくつかのワイヤレス送信方法（３ＧＰＰ規格など）では、ユーザ端末１２０は、データシンボルのより小さいグループについて必要な電力レベルよりも、データシンボルのより大きいグループについてより高い電力レベルで送信する必要がある。これに鑑みて、プロセッサ１６０からの命令に基づいて、セレクタ１４０は、キュー１５０ａによってサービスされる元の送信スケジュールから、データパケットを、複数のキュー、たとえば、キュー１５０ｂおよび１５０ｃによってサービスされる新しい送信スケジュールに分割することができる。たとえば、セレクタ１４０が個々のデータパケットを元のデータチャネルタイムスロットを表すキューに送信する代わりに、セレクタ１４０は、データパケットの第１の部分を第１のデータチャネルタイムスロットを表す第１のキューに送信し、また、データパケットの第２または後続の部分を少なくとも１つの他のデータチャネルタイムスロットを表す第２のキューおよび／または追加のキューに送信することができる。
【００３３】
特に、データパケットが第１の部分と後続の部分とに分割される本技術を実装する様々な実施形態では、第１の部分と残りの部分とが等しいとすることができるが、必ずしも等しい必要はない。さらに、第１の部分および残りの（１つまたは複数の）部分は、３つ以上のグループに分割できる。データパケットが分割される実施形態のための唯一の要件は、より小さいデータシンボルグループについてよりもより大きい送信電力振幅を必要とするワイヤレス通信規格によって課されるしきい値量よりも、それらの部分が小さいことである。データパケットを分割することに関与する実施形態の追加の例について、図６に関して以下で説明する。
【００３４】
図１は、単一のセレクタ１４０および３つのキュー（１５０ａ、１５０ｂ、１５０ｃ）を示すが、当業者が理解するように、実装すべき正確なワイヤレス送信デバイスおよび正確な方法に基づいて、任意の数のセレクタおよび／またはキューあるいは他のハードウェア実装形態が使用できることを理解されたい。
【００３５】
さらに、図１に示すユーザ機器１２０について、プロセッサ１６０は、キュー１５０ａ、１５０ｂ、および／または１５０ｃのうちの少なくとも１つに記憶されたデータおよび／またはデータパケットのグループをいつ送信すべきかについて、送信モジュール１３０に命令する。本技術の一実施形態では、プロセッサ１６０は、あらかじめ決定された制御チャネル送信期間に鑑みて、あらかじめ決定された制御チャネルがいつ送信しているかを判断する。データがキュー１５０ａ、１５０ｂ、および／または１５０ｃのうちの１つに記憶され、少なくとも１つのあらかじめ決定された制御チャネル送信期間中にあるとき、プロセッサ１６０は、キュー１５０ａ、１５０ｂ、および／または１５０ｃのうちの１つに記憶されたデータパケット（および／またはサブパケット）の少なくとも１つのグループを専用データチャネル上で送信するように、送信モジュール１３０に命令する。次いで、そのグループ中のデータは、無線周波信号に変換され、あらかじめ決定された制御チャネル送信期間中に専用データチャネル上でアンテナ（図示せず）を使用してノードＢ１１０に送信される。
【００３６】
例示的な実施形態では、あらかじめ決定された制御チャネル非送信期間中に、プロセッサ１６０は、キュー１５０ａ、１５０ｂ、および／または１５０ｃのうちの少なくとも１つに記憶され得るデータパケット（またはサブパケット）の（１つまたは複数の）グループのいずれかの送信を中止するように、送信モジュール１３０に命令する。あらかじめ決定された制御チャネル非送信期間の終了時に、プロセッサ１６０は、キュー１５０ａ、１５０ｂ、および／または１５０ｃのいずれかにデータがあるかどうかを評価する。データがキュー１５０ａ、１５０ｂ、および／または１５０ｃのうちのいずれかに残っている場合、プロセッサ１６０は、あらかじめ決定された制御チャネル送信期間中に、キュー１５０ａ、１５０ｂ、および／または１５０ｃのうちの１つに記憶されたデータパケット（および／またはサブパケット）の少なくとも１つのグループを専用データチャネル上で送信するように、送信モジュール１３０に命令することができる。データパケット（および／またはサブパケット）のグループと制御情報とは、無線周波信号に変換され、あらかじめ決定された制御チャネル送信期間中にアンテナ（図示せず）を使用してノードＢ１１０に送信される。
【００３７】
あらかじめ決定された制御チャネル送信期間中にデータチャネル上でデータを送信するプロセスは、キュー１５０ａ、１５０ｂ、および／または１５０ｃ中のデータパケットのグループのすべてが送信されるまで、および／またはプロセッサ１６０が、送信を中止するように送信モジュール１３０に命令するまで実行される。本技術の実装は、ユーザ機器１２０があらかじめ決定された制御チャネル非送信期間中に「休止する」ことを可能にし、それによって電力およびシステムリソースを節約する。特に、本技術の実装は、ユーザ機器１２０のためのリソースを節約するだけでなく、本技術によって実装されるように、共存するユーザ機器ユニットが休止している（または送信していない）期間中に、他のユーザ機器がデータを送信することができるので、ノードＢ１１０のためのリソースを節約する。
【００３８】
本技術のいくつかの実施形態では、送信すべきデータの量が、制御情報を送信するように構成された制御チャネルタイムスロットに並行する利用可能なデータチャネルタイムスロットを超えることがある。これらの事例では、本技術の例示的な一実施形態は、制御情報を送信するように構成された制御チャネルタイムスロットに並行するデータチャネルタイムスロット内で必要とされるデータパケットを送信するようにベストエフォートを行うが、それらのタイムスロットのすべてが利用されると、送信データの待ち時間を回避および／または低減するために、制御チャネル情報が送信されていない期間中にデータパケットを送信することができる。
【００３９】
送信モジュール１３０は、プロセッサ１６０から、または機械可読媒体１２５がメモリまたはハードディスクを備える一実施形態など、ユーザ機器１２０内の他のロケーションから、セレクタ１４０を通して、デジタル化データを受信する変調器を備えることができる。送信モジュール１３０は、当業者に知られており、利用される送信方式の正確なタイプに依存する、任意の数のキュー、マルチプレクサ、コーダ、セレクタ、およびメモリバンクを含み得る。たとえば、ＣＤＭＡシステムでは、送信モジュール１３０は、送信を符号化するための符号器（たとえば、ウォルシュエンコーダ）と、ユーザ機器１２０からの送信を符号器によって実装されるコードに相関させる相関器の両方を含むことができる。そのようなセットアップは、当業者なら理解するように、図１中の要素１２０ａ〜１２０ｎおよびノードＢ１１０を使用して実装できるような、直接シーケンススペクトラム拡散送信のための個々のノードによってカバーされる同じエリア内の同じまたは同様の周波数にわたる複数のユーザ機器からの同時送信を可能にする。
【００４０】
プロセッサ１６０は、トランジスタマイクロチップ、個別トランジスタプロセッサ、プログラマブル論理コントローラ、中央処理ユニット（ＣＰＵ）、汎用マイクロプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）、プログラマブル論理デバイス（ＰＬＤ）、コントローラ、状態機械、ゲート論理、個別ハードウェア構成要素、あるいは情報の計算または他の操作を実施することができる任意の他の好適なエンティティを備えることができ、標準マイクロプロセッサ製造技法を使用して作成される超大規模集積または超々大規模集積マイクロチップにおいて一般的であるような、機能的超小型回路の中でもＣＰＵを含むマイクロプロセッサとすることができる。
【００４１】
プロセッサ１６０は、ユーザ機器１２０内の複数のプロセスを監視し、実行するように構成でき、１つまたは複数の機械可読媒体１２５に記憶された命令を実行するように構成できる。（キュー１５０ａ、１５０ｂ、および／または１５０ｃを含む）機械可読媒体１２５は、不揮発性記憶装置（たとえば、読取り専用メモリ、フラッシュメモリ、磁気メディア、光メディアなど）または揮発性記憶装置（たとえば、ランダムアクセスメモリ）のいずれかとすることができる。機械可読媒体１２５は、命令、たとえば、プロセッサ実行可能コードを含む、ソフトウェアを記憶するために使用できる。たとえば、プロセッサ１６０は、機械可読媒体１２５内に記憶された命令を読み取ることができ、次いで、無線周波数領域において送信するためにデータパケットを送信モジュール１３０に送信すること含むことができるその命令を実行することができる。
【００４２】
本明細書で使用する「ソフトウェア」は、ソフトウェア、ファームウェア、ミドルウェア、マイクロコード、ハードウェア記述言語などの名称にかかわらず、命令、データ、またはそれらの組合せを意味すると広く解釈されたい。命令は、（たとえば、ソースコード形式、バイナリコード形式、実行コード形式、または他の適切なコード形式の）コードを含むことができる。機械可読媒体１２５は、ＡＳＩＣの場合のようにプロセッサ１６０に統合された記憶装置を含むことができる。機械可読媒体１２５はまた、ランダムアクセスメモリ（ＲＡＭ）、フラッシュメモリ、読取り専用メモリ（ＲＯＭ）、プログラマブル読取り専用メモリ（ＰＲＯＭ）、消去可能ＰＲＯＭ（ＥＰＲＯＭ）、レジスタ、ハードディスク、リムーバブルディスク、ＣＤ−ＲＯＭ、ＤＶＤ、または他の適切な記憶デバイスなど、プロセッサの外部の記憶装置を含むことができる。さらに、機械可読媒体１２５は、伝送線路、またはデータ信号を符号化する搬送波を含むことができる。命令が実現されるためにどのようにしたらユーザ機器１２０について説明した機能を最も良く実装することができるかを、当業者は認識されよう。
【００４３】
本技術の実装の以下の説明では、（仕様２５．２１１（バージョン７．６．０）、２５．２１２（バージョン７．８．０）、２５．２１３（バージョン７．５．０）、２５．２１４（バージョン７．９．０）を含む）３ＧＰＰ規格のリリースナンバー７に関する開示、特にエンハンスド専用チャネル（Ｅ−ＤＣＨ）として知られる専用データ送信チャネルを含む記述した規格の一態様を参照する。本技術の様々な実施形態は、Ｅ−ＤＣＨと同様であるアップリンクデータパケットチャネル送信を備える任意のデータパケット転送通信システム上で実装できる。
【００４４】
アップリンクデータパケットチャネル送信を実装するシステムでは、ノードＢは、そのカバレージエリア内のすべてのユーザ機器によって送信されるすべてのデータを要求許可方式で調整する。すなわち、ノードＢ１１０のカバレージエリア中の各ユーザ機器１２０は、データを送信する許可を要求し、ノードＢ１１０は、いつ、いくつの個々のユーザ機器がそうすることを許可されるかを決定する。いくつかの実施形態では、ユーザ機器１２０は、基準の中でも、送信データの帯域幅がどのくらい大きいか、どんな電力でデータを送信すべきかに関する命令をノードＢ１１０から受信する。図２、図３、図４、および図５は、少なくとも１つの制御チャネルと１つのデータチャネルとを備えるユーザ機器１２０のためのアップリンクデータパケットチャネル送信をそれぞれ示し、ここで、（１つまたは複数の）制御チャネルおよびデータチャネルの各々は６０個のタイムスロットを含む。示されたタイムスロットは例にすぎず、本技術を実行するために任意の数のタイムスロットが実装できることを、当業者は容易に認識する。
【００４５】
図２に、本技術を適用するより前の例示的なアップリンクデータパケット送信を示す。簡潔および明快のために、本明細書では、本技術の一例としてアップリンクについて説明するが、本技術はダウンリンクにも適用されることを、当業者は理解されよう。図２に示すように、アップリンクデータパケット送信は、少なくとも２つのチャネル、個々のユーザ機器とノードとの間（たとえば、図１中のユーザ機器１２０とノードＢとの間）のデータ転送のためのアップリンクデータパケットチャネル２０１と、（同じく、たとえば、図１に示すユーザ機器１２０とノードＢとの間の）全体的な通信を制御し、調整するためのアップリンク制御チャネル２０３とを含む。
【００４６】
図２には、３ＧＰＰ規格の下で高速専用物理制御チャネル（ＨＳ−ＤＰＣＣＨ）として知られるものと同様であるチャネル２０７も示されている。チャネル２０７は、そのチャネルが制御情報２１３および２１４を送信する追加の制御チャネルであり、本技術の実施形態が制御チャネル２０３および／または２０７のいずれか、または両方を使用して実装できること以外は、本技術の機能の理解のために重要ではない。いくつかの実施形態では、本明細書で説明する本技術は、チャネル２０７には適用でき、チャネル２０１には適用できず、またはその逆も同様である。いくつかの実施形態では、本明細書で説明する本技術は、チャネル２０７とチャネル２０１の両方に適用できる。
【００４７】
アップリンク制御チャネル２０３は、いくつかの実施形態では、本質的にチャネル推定のための「パイロット」チャネルとして説明できる。アップリンク制御チャネル２０３は、タイミングおよび電力に関する情報を含むことができる。電力情報は、ユーザ機器１２０が（ノードＢ１１０によって許可された）ノードＢ１１０のカバレージエリア内で送信する強度または振幅を含むことができる。
【００４８】
図２に示すように、アップリンク制御チャネル２０３は、０で開始し、６０で終了するタイムスロットを含む。図示のタイムスロット中に、アップリンク制御チャネル２０３は複数の期間において送信する。図示の期間は、図２中に表された６０個のタイムスロットをカバーする時間期間について例示するものにすぎないことを、当業者は容易に理解する。送信の期間は、パイロット情報（すなわち、潜在的な制御情報の中でも、タイミングおよび電力に関する情報）を送信するためのあらかじめ決定された送信期間２０９を備える。また、アップリンク制御チャネル２０３の一部として、アップリンク制御チャネル２０３が制御情報を送信しないように構成された、６０スロット期間中の複数の期間を備える指定された非送信期間２０８が示されている。いくつかの実施形態（たとえば、３ＧＰＰ規格を実装する実施形態）では、アップリンク制御チャネル２０３はまた、たとえば、図示のようにタイムスロット５〜７および２９〜３１中に起こる、アップリンクデータチャネル２０１がデータを送信するときに送信されるパイロット情報のための送信期間２０９ａを含む。（たとえば、３ＧＰＰ規格の他に別の規格が実装されているとき）いくつかの実施形態では、送信期間２０９ａは、実際は、アップリンク制御チャネル２０３によって送信が行われない指定された非送信期間２０８である。
【００４９】
３ＧＰＰ規格と同様の本技術の実施形態では、アップリンク制御チャネル２０３は、２５６０「チップ」、シンボル、またはビットワードを備えるスロットを含むことができる。個々のスロットは、パイロットシンボル、トランスポート形成組合せインジケータ（ＴＦＣＩ）、および／または送信電力制御（ＴＰＣ）シンボルを備えることができる。ＴＦＣＩは、ノードＢ（たとえば、図１中の要素１１０）に、送信されるデータのタイプおよび量を示し、ＴＰＣは、ノードＢ１１０に、許可された最大値および最小値内の、どんな電力レベルでユーザ機器が送信しようとしているのかを示す（パラメータはノードＢ１１０から与えられ、ユーザ機器１２０はそれらのパラメータ内で動作するように構成される）。ＴＰＣはまた、前に受信した信号対干渉比に関する情報を含み、その情報をノードＢに与えることができる。チャネル２０３はまた、特に、データのタイプ、データのサイズ、および受信したチャネル品質インジケータに基づいて、ユーザ機器が送信データに適用している送信電力利得係数に関する情報を含むことができる。
【００５０】
アップリンクデータパケットチャネル２０１は、任意のタイプのデータを備えるデータパケットを送信することができる。図２に示すように、アップリンクデータパケットチャネル２０１は、スロット５〜７と２９〜３１とを備えるアップリンクデータパケット送信期間２１０によって示される６０スロット時間期間内で２度送信する。図２は、本技術を適用するより前のデータパケット送信のスケジュールを示すので、図２に示す２つの送信期間２１０は、タイムスロット５〜７および２９〜３１用に構成された制御チャネルタイムスロットに並行するアップリンクデータパケットチャネルタイムスロット中に送信するようにスケジュールされた（いくつかの実施形態では、上記で説明したように、制御チャネル２０３上の５〜７および２９〜３１のタイムスロットは、非送信期間２０８または送信期間２０９ａのいずれかとすることができる）。したがって、データ制御チャネル３０３上の期間２０９によって表される制御チャネル送信期間と一致するように、タイムスロット２１０中のデータは、前進および／または遅延および／または連結されなかった。いくつかの実施形態では、チャネル２０７上の送信期間２１３および２１４は、制御チャネル２０３上のあらかじめ決定された送信期間２０９と同時に送信されるように、本技術の適用によって意図的に配置されている。たとえば、制御情報２１４は、あらかじめ決定された制御チャネル２０９が制御チャネル情報を送信する第１のインスタンスを反映するように本技術の適用によってタイムスロット２および３中に配置されている。
【００５１】
図３に、アップリンクデータパケットチャネル３０１とアップリンク制御チャネル３０３とを含む開示の一実施形態を示す。図に示すように、アップリンク制御チャネル３０３は、あらかじめ決定された送信期間３０９とあらかじめ決定された非送信期間３０８の両方を含む。アップリンクデータパケットチャネル３０１は、（たとえば、２つの送信期間２１０が、実装される実施形態に応じて、あらかじめ決定された非送信制御チャネル期間２０８または２０９ａと一致する図２に示した）あらかじめ決定された非送信制御チャネル期間３０８に並行していた元のタイムスロットから遅延および／または前進された２つの送信期間３１０を含む。ユーザ機器デバイス１２０に制御チャネル非送信期間３０８中に送信していない機会を与えるために、（たとえば、図１に関して説明したように）アップリンクデータパケットチャネル３０１上のデータパケットは、あらかじめ決定された制御チャネル送信期間３０９（特に、タイムスロット２５〜２７および４９〜５１）に並行するタイムスロットに遅延および／または前進され、ユーザ機器１２０があらかじめ決定された制御チャネル送信期間３０９中にのみ送信することを可能にし、それによって電力およびリソースを節約する。また、チャネル３０７上のすべての制御チャネル送信は、あらかじめ決定された送信期間３０９中にのみ送信するように、本技術の実装によって整合され、それによって電力およびリソースを節約する。
【００５２】
本技術は、アップリンク制御チャネル３０３があらかじめ決定された期間３０９中に制御情報を送信している期間中のアップリンクデータパケットチャネル３０１上のデータパケットの送信を調整する。特に、アップリンク制御チャネル３０３は、あらかじめ決定された非送信期間３０８をも含む。本技術の実装形態により、ユーザ機器１２０があらかじめ決定された非送信期間３０８中に「休止する(rest)」ことが可能になり、それによって電力およびシステムリソースを節約する。本技術の実装は、ユーザ機器１２０のためのリソースを節約するだけでなく、本技術によって実装されるように、共存するユーザ機器ユニット１２０が休止している（または送信していない）期間中に、他のユーザ機器がデータを送信することができるので、ノードＢ１１０のためのリソースを節約する。
【００５３】
本技術の様々な実施形態では、期間３０８中にユーザ機器１２０は、部分的にまたは完全に送信するのを止めることができる。したがって、ユーザ機器１２０からのデータ送信は、アップリンク制御チャネル３０３があらかじめ決定された期間３０９中に送信している、アップリンク制御チャネル３０３の「ウェイク(wake)」時間、または時間期間３０９に基づいて最適にスケジュールされる。本技術に基づくスケジューリングは電力消費量を最小限に抑え、それによって貴重なバッテリー寿命を節約する。
【００５４】
実際問題として、ユーザがデータをアップロードする最初の試みが、他の場合はスロット１〜６０中のどこかに乱雑に入り、偶然に、ユーザが、タイムスロット５〜７を備えるアップリンク制御チャネル３０３のためのあらかじめ決定された非送信期間３０８と一致するタイムスロットを選択することについて考える。本技術の例示的な実施形態では、少なくとも３タイムスロット長を備えるあらかじめ決定された制御チャネル送信期間３０９と一致する、少なくともタイムスロット８〜１０までデータの送信を遅延させる、または少なくともタイムスロット２〜４にデータの送信を前進させることができる。遅延および／または前進させることは、図１に関して説明したように、または当業者なら理解するように別のプロシージャを使用して実施できる。より多くのタイムスロットが必要とされる場合、本開示のデバイスは、必要に応じて、アップリンク制御チャネル送信タイムスロット３０９と一致したできるだけ多くのタイムスロットをデータチャネル上に含めることができる。
【００５５】
本明細書では、送信と非送信の両方についてワイヤレス送信プロトコルによってあらかじめ決定された期間に関してチャネル３０３を説明するが、あらかじめ決定されたものの他の定義が本技術の範囲内として予見されることを理解されたい。たとえば、ワイヤレスプロトコルによってあらかじめ決定された送信期間に加えて、あらかじめ決定された送信期間は、「あらかじめ決定された(predetermined)」という用語に意味を与えるであろう他の方法、方式、またはプロトコルの中でも、ユーザが選択可能である、ルックアップテーブル、状態機械から判断される、アルゴリズムから判断される、プロセッサによって実行される計算によって判断される、チャネル品質および／または信号対雑音しきい値または信号対干渉しきい値に基づくとも考えられる。
【００５６】
図４に、本技術を適用するより前の例示的なアップリンクデータパケットチャネル送信を示す。図４に示すように、アップリンクデータチャネル送信は、アップリンクデータパケットチャネル４０１とアップリンク制御チャネル４０３の両方を備える。アップリンク制御チャネル４０３は、あらかじめ決定された送信期間４０９とあらかじめ決定された非送信期間４０８の両方を備える。図４が本技術を適用するより前のデータパケット送信のスケジュールを示すので、図４に示す２つの送信期間４１０は、制御チャネルタイムスロット５〜７および２９〜３１に並行するアップリンクデータパケットチャネルタイムスロット中に送信するようにスケジュールされた。いくつかの実施形態（たとえば、３ＧＰＰ規格を実装する実施形態）では、アップリンク制御チャネル４０３は、たとえば、図示のようにタイムスロット５〜７および２９〜３１中に起こる、アップリンクデータチャネル４０１がデータを送信するときに送信されるパイロット情報のための送信期間４０９ａを含む。（たとえば、３ＧＰＰ規格の他に別の規格が実装されているとき）いくつかの実施形態では、送信期間４０９ａは、実際は、アップリンク制御チャネル４０３によって送信が行われない指定された非送信期間４０８である。特に、データ制御チャネル４０３上の期間４０９によって表された制御チャネル送信期間と一致するように、タイムスロット４１０中のデータは、前進および／または遅延および／または連結されなかった。
【００５７】
図５に、データチャネル５０１と制御チャネル５０３とを含む本技術の実施形態を示す。図に示すように、アップリンク制御チャネル５０３は、あらかじめ決定された送信期間５０９とあらかじめ決定された非送信期間５０８の両方を含む。アップリンクデータパケットチャネル５０１は、少なくとも１つのタイムスロットによって分離された複数のデータパケットから、あらかじめ決定されたアップリンク制御チャネル送信タイムスロット５０９と一致するタイムスロットに連結された（タイムスロット２８〜３３に及ぶ）送信期間５１０を含む。たとえば、図４に比較して、送信期間５１０中のデータパケットは、データパケットがタイムスロット５〜７および２９〜３１中で送信するようにスケジュールされた元のスケジュールから連結された。パケットを連結することは、図１に関して説明したように、または当業者なら理解するように別のプロシージャを使用して達成できる。したがって、ユーザ機器デバイスはアップリンク制御チャネル５０３の非送信期間５０８中に送信せず、電力およびリソースを節約する。
【００５８】
本明細書では、送信と非送信の両方についてワイヤレス送信プロトコルによってあらかじめ決定された期間に関してチャネル５０３を説明するが、あらかじめ決定されたものの他の定義が本技術の範囲内として予見されることを理解されたい。たとえば、ワイヤレスプロトコルによってあらかじめ決定された送信期間に加えて、あらかじめ決定された送信期間は、「あらかじめ決定された」という用語に意味を与えるであろう他の方法、方式、またはプロトコルの中でも、ユーザが選択可能である、ルックアップテーブル、状態機械から判断される、アルゴリズムから判断される、プロセッサによって実行される計算によって判断される、チャネル品質および／または信号対雑音しきい値または信号対干渉しきい値に基づくとも考えられる。
【００５９】
図６は、データレートに比較した利得を示すグラフである。ポータブルデバイス（たとえば、図１中のユーザ機器１２０）の電力消費に関して、当該のデータビットを正常に送信する間に採用されたワイヤレス規格に準拠するのに必要な最低送信利得として、最適利得を表すことができる。前述は、特定のワイヤレス通信規格、たとえば、時間期間内の一定のより小さい量のデータビットについてよりも同じ時間期間内のより大きい量のデータビットについてより高い送信利得率を必要とする、３ＧＰＰ  ２５．２１４規格に関係するとすることができる。
【００６０】
Ｎｂｉｔｓ１  ６１１は、Ｎｂｉｔｓ２  ６１２の半分のデータレートを示すと考える。図６に示すように、ポイント６１３は、Ｂ＿ｅｄ１  ６０１の利得がＮｂｉｔｓ１  ６１１のデータレートをサポートする送信電力曲線上のポイントを表す。ワイヤレス通信システムによって採用される規格は、Ｎｂｉｔｓ１  ６１１とＮｂｉｔｓ２  ６１２とによって表されたデータレート間の送信電力の非線形増加を必要とするので、Ｎｂｉｔｓ２  ６１２のデータレートはＮｂｉｔｓ１  ６１１のデータレートの２倍にすぎないが、ポイント６１４はポイント６１３の２倍を超える必要な送信電力を表す。言い換えれば、Ｎｂｉｔｓ１  ６１１とＮｂｉｔｓ２  ６１２との間のビットの比例する入力にもかかわらず、ビットを送信するのに必要とされる送信電力出力は、ビットベースでＮｂｉｔｓ２  ６１２のほうが大きい。最適利得とユーザ機器電力消費との間の明示的関係は、より低いデータレートでは、より低いデータレートで送信しているユーザ機器（たとえば、図１に示すユーザ機器１２０）は、同じユーザ機器が一定のより高いデータレートで送信しているときほど送信振幅利得を必要としないことである。
【００６１】
３ＧＰＰ規格は、送信されるデータのサイズに基づいてノードＢ  １１０がユーザ機器１２０からの特定の送信電力を必要とするこのタイプの構成を必要とする。その規格は、より大きい量のデータが、より小さい量のデータよりも高い送信振幅で送信されることを必要とする。本開示の実施形態では、より高い電力レベルで送信すべき要件をトリガしないように、データパケットをサブパケットに分割することによって、この問題に対処する。サブパケットについては、標準サイズのパケットよりも小さいデータパケットの任意の部分であるとして本明細書で説明する。たとえば、サブパケットは、（１つまたは複数の）ビット、シンボルおよび／またはシンボルのグループ、データパケットの様々な部分（part）、および／またはデータパケットの様々な部分（portion）を備えることができる。再び図６を参照すると、データレートと比較した利得から作成された曲線は、データレートをサポートするために使用される電力が、データパケットをサブパケットに分割し、次いで複数の期間にわたって送信されることによって最適化できることを示す。
【００６２】
たとえば、１０，０００ビットを備える単一のデータパケットについて考える。３ＧＰＰ規格の下で、この大きいブロックを送信するのに必要とされる利得は、１６８電力単位とすることができる。ユーザ機器１２０は、単一の１０，０００ビットデータパケットについて必要とされるより高い電力レベルで送信することをノードＢによって必要とされることはないので、単一の大きいデータパケットを、およそ４，０００ビットと６，０００ビットとの２つのサブパケットに分割し、次いでそれらのサブパケットを別々の時間に送信することによって、総量の同じデータが１６８総電力単位未満で送信される。
【００６３】
データパケットを分割することは、図１に関して説明したように、または当業者なら理解するように別のプロシージャを使用して達成できる。たとえば、プロセッサ（たとえば、図１中のプロセッサ１６０）からの命令に基づいて、セレクタ（たとえば、図１中のセレクタ１４０）は、キュー（たとえば、図１中のキュー１５０ａ）によってサービスされる元の送信スケジュールから、データパケットを、複数のキュー（たとえば、図１中のキュー１５０ｂおよび１５０ｃ）によってサービスされる新しい送信スケジュールに分割することができる。すなわち、セレクタ１４０が個々のデータパケットを元のデータチャネルタイムスロットを表すキューに送信する代わりに、セレクタ１４０は、第１のサブパケットを第１のデータチャネルタイムスロットを表す第１のキューに送信し、また、第２のまたは後続のサブパケットを少なくとも１つの他のデータチャネルタイムスロットを表す第２のキューおよび／または追加のキューに送信することができる。次いで、第１のキュー中の第１のサブパケットのデータは、第２または後続の（１つまたは複数の）サブパケットが送信される（１つまたは複数の）時間期間とは異なる時間期間中に送信される。
【００６４】
特に、データパケットが第１のサブパケットと後続のサブパケットとに分割される本技術を実装する様々な実施形態では、第１のサブパケットと残りの（１つまたは複数の）サブパケットとが等しいとすることができるが、必ずしも等しい必要はない。さらに、第１のサブパケットおよび残りの（１つまたは複数の）サブパケットは、３つ以上のグループに分割できる。データパケットが分割される実施形態のための唯一の要件は、より小さいサブパケットグループについてよりも大きいデータパケットについてより大きい送信電力振幅を必要とするワイヤレス通信規格によって課されるしきい値量よりも、それらのサブパケットが小さいことである。
【００６５】
より大きい送信電力を必要とする送信すべきデータがあらかじめ決定された限度を超える場合、Ｘ＝１つの大きいデータパケットの電力とみなす。パケットを２つのパケットに分割することによって、より小さいパケットの両方を送信する送信電力はＸ未満になる。より小さいパケットは、等しく分割される必要はなく、３つ以上のパケットを備えることができる。図６に、データレートに関する電力出力を表す曲線に沿って直線的に配置されないポイント６１４によってこの関係を示す。ポイント６１３は、Ｎｂｉｔｓ１  ６１１がＮｂｉｔｓ２  ６１２の１／２であると仮定した、送信電力の節約を表す。したがって、データパケットを、複数回で送信すべきより小さいグループに分割することによって、本開示は送信電力の節約を行う。
【００６６】
図７は、ワイヤレスユーザ機器デバイス、たとえば、図１中に要素１２０として示されたデバイスからの送信を最適化するための本技術のある実施形態を実装するための方法（またはプロセッサ実行可能命令）のフローチャートである。ユーザ機器デバイスは、少なくともアップリンク制御チャネルおよびアップリンクデータパケットチャネルを含むが、ＰＤＡおよび同様のデバイスで一般的な追加のタイプのデータまたは情報転送のための他のチャネルに加えて、ボイス通信に専用のチャネルなど、追加のチャネルを含むこともできる。
【００６７】
図７では、命令（または方法ステップ）７００において、プロセッサ（図１中のプロセッサ１６０など）は、送信するためのデータパケットを収集する命令を実行することができる。送信すべきデータパケットは、送信のためにメモリ（たとえば、図１中の機械可読媒体）内に記憶できる。データパケットはまた、または代替的に、送信する予定であるデータを指定するために、メモリ（たとえば、キュー）の特定の部分内に隔離できる。データが収集されると、命令（または方法ステップ）７１０において、プロセッサはアップリンク制御チャネル送信について「オン」時間を評価する命令を実行する。
【００６８】
アップリンク制御チャネルがいつ送信しているか判断した後、命令（または方法ステップ）７２０において、プロセッサは、送信電力消費を最小限に抑えるために、送信するためのデータパケットのスケジューリングを最適化することができる。最適化されたスケジューリングは、データパケットを前進させること、遅延させること、および／または連結することの組合せを含み、それらの少なくとも１つを備えることができる。たとえば、図１、図２、および図３に関して説明したように、制御情報を送信するように構成された制御チャネルタイムスロットに並行するデータチャネルタイムスロットに、データパケットを前進および／または遅延させることができる。図１、図４、および図５に関して説明したように、制御情報を送信するように構成された制御チャネルタイムスロットに並行するデータチャネルタイムスロットに、データパケットを連結することができる。本技術の様々な実施形態では、データパケットは前述の組合せを受けることがある。たとえば、データパケットを、図１、図４、および図５に関して説明したように連結し、さらに図１、図２、および図３に関して説明したように前進および／または遅延させることができる。
【００６９】
命令７３０において、プロセッサは、スケジュールされ、最適化されたデータパケットを送信するように送信モジュールに命令することができ、それにより送信電力およびシステムリソースが温存され得る可能性が生じる。たとえば、制御情報を送信するように構成されたアップリンク制御チャネルタイムスロットと一致するアップリンクデータチャネルタイムスロットにデータパケットが前進および／または遅延された場合、ユーザ機器１２０は、アップリンク制御チャネルが非送信期間用に構成された期間中に休止することができる。すなわち、ユーザ機器１２０が制御情報を送信するように構成された制御チャネル期間中に送信し、同時にアップリンクデータパケットチャネル上でデータパケットを送信しているので、ユーザ機器１２０は、アップリンク制御チャネルが送信していない期間中に送信するのを止めることができる。本技術を実装する効果は、送信電力が節約され、全体的なシステムリソースが温存されることである。
【００７０】
図８は、ワイヤレスユーザ機器デバイス、たとえば、図１中に要素１２０として示されたデバイスからの送信を最適化するための本技術のある実施形態を実装するための方法（またはプロセッサ実行可能命令）のフローチャートである。ユーザ機器デバイスは、少なくともアップリンク制御チャネルおよびアップリンクデータパケットチャネルを含むが、ＰＤＡおよび同様のデバイスで一般的な追加のタイプのデータまたは情報転送のための他のチャネルに加えて、ボイス通信に専用のチャネルなど、追加のチャネルを含むこともできる。
【００７１】
図８では、命令（または方法ステップ）８００において、プロセッサ（図１中のプロセッサ１６０など）は、送信するためのデータを収集する命令を実行することができる。送信すべきデータは、送信のためにメモリ（たとえば、図１中の機械可読媒体）内に記憶できる。データはまた、または代替的に、送信する予定であるデータを指定するために、メモリ（たとえば、キュー）の特定の部分内に隔離できる。データが収集されると、命令（または方法ステップ）８１０において、データのより大きいグループについてより大きい送信電力を必要とするワイヤレス送信規格によって課されるしきい値をデータが超える場合、プロセッサは、データを２つ以上の構成要素に分割する命令を実行する。データは、図１およびキュー１５０ａ〜１５０ｃに関して説明した様々なキュー（またはメモリの部分）に分割できる。
【００７２】
データを分割した後、命令（または方法ステップ）８２０において、プロセッサは、別々の時間期間中に２つ以上の構成要素を送信するために必要なエネルギーレベルが、分割される前のデータを送信するために必要なエネルギーレベルよりも小さくなるように、別々の時間期間中に送信するように２つ以上の構成要素をスケジュールすることによって、送信電力消費を最小限に抑えるために、送信するためのデータパケットのスケジューリングを最適化することができる。分割され、次いで送信するためにスケジュールされることに加えて、データパケットはまた、図１、図２、および図３に関して説明したように、（制御情報を送信するように構成された制御チャネルタイムスロットに並行するデータチャネルタイムスロットに、）前進および／または遅延でき、次いで、送信するためにスケジュールできる。本技術の様々な実施形態では、データパケットは前述の様々な組合せを受けることがある。たとえば、大きいデータパケットをともに、単一の大きい送信についてより大きい振幅の送信電力を必要とするワイヤレス規格によって課されるしきい値よりも小さいデータ量を個々に所有する２つの構成要素に分割することができる。さらに、第１の分割された構成要素を、制御情報を送信するように構成されたアップリンク制御チャネルタイムスロットに並行するアップリンクデータパケットチャネルタイムスロットに前進させ、第２の分割された構成要素を、同じく制御情報を送信するように構成されたアップリンク制御チャネルタイムスロットに並行するアップリンクデータパケットチャネルタイムスロットに遅延させることができる。
【００７３】
命令８３０において、プロセッサは、分割された、さもなければ最適化されたデータパケットを送信するように送信モジュールに命令することができ、それにより送信電力およびシステムリソースが温存され得る可能性が生じる。本技術を実装する効果は、送信電力が節約され、全体的なシステムリソースが温存されることである。
【００７４】
図７および図８に示す命令および／または方法ステップは、メモリ中に含まれる１つまたは複数の命令の１つまたは複数のシーケンスを実行するプロセッサの出力に応答して、ソフトウェア、アルゴリズム、プロセッサ、および／またはコンピュータシステムを利用することによって実装できる。スケジューリング命令は、データパケットを遅延もしくは前進させること、またはデータパケットを連結すること、またはデータパケットを分割することのシーケンスを含むことができる。そのような命令、プロセス、または方法は、データ記憶デバイスおよび／またはルックアップテーブルなど機械可読媒体（たとえば、図１に関して示し、説明した機械可読媒体１２５）からメモリに読み取ることができる。そのような命令、プロセス、または方法はまた、リアルタイムで判断する、すなわち、時間イベントが発生すると、または発生したすぐ後に、またはあらかじめ決定され得る、時間イベントに応答して処理および／または判断することができる。
【００７５】
図９は、本開示の主題の一実装形態の機能の一例を示す概念ブロック図である。図９に、スケジュールするためのモジュール９１０と、記憶するためのモジュール９２０と、送信するためのモジュール９３０とを含む概念モバイルデバイス９００を示す。様々な実施形態では、モバイルデバイス９００は、上記で説明した実施形態に対応する。
【００７６】
モジュール９１０、９２０、および９３０の各々は上記の実施形態の態様を表すことができる。モジュール９２０は破線で示され、それが随意のモジュールであることを示す。モジュール９１０は、制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールする機能を与える。モジュール９２０は、モジュール９１０によってスケジュールされた少なくとも１つのデータパケットを記憶する機能を与える。モジュール９３０は、制御情報を送信するように構成された少なくとも１つのあらかじめ決定された制御チャネルタイムスロットに並行する少なくとも１つのデータチャネルタイムスロット中に少なくとも１つのデータパケットを送信する機能を与える。モジュール９１０、９２０、および／または９３０のいずれかまたはすべては、上記で説明した実施形態における技法を使用して実装できる。
【００７７】
図１０は、本開示の主題の一実装形態の機能の一例を示す概念ブロック図である。図１０に、分割するためのモジュール１０１０と、記憶するためのモジュール１０２０と、スケジュールするためのモジュール１０３０と、送信するためのモジュール１０４０とを含む概念モバイルデバイス１０００を示す。様々な実施形態では、モバイルデバイス１０００は、上記で説明した実施形態に対応する。
【００７８】
モジュール１０１０、１０２０、１０３０、および１０４０の各々は上記の実施形態の態様を表すことができる。モジュール１０１０は、送信すべきデータを２つ以上の構成要素に分割する機能を与える。モジュール１０２０は、モジュール１０１０によって分割された２つ以上の構成要素を記憶する機能を与える。モジュール１０３０は、別々の時間期間中に送信するように２つ以上の構成要素をスケジュールする機能を与える。モジュール１０４０は、別々の時間期間中に２つ以上の構成要素を送信するために必要なエネルギーレベルが、分割される前のデータを送信するために必要なエネルギーレベルよりも小さくなるように、別々の時間期間中に２つ以上の構成要素を送信する機能を与える。モジュール１０１０、１０２０、１０３０および／または１０４０のいずれかまたはすべては、上記で説明した実施形態における技法を使用して実装できる。
【００７９】
上記で使用した「コンピュータ可読媒体」という用語は、プロセッサによって読み取るまたは実行することができるコードまたは命令を含んでいる任意の媒体を指す。そのような媒体は限定はしないが、不揮発性メディア（たとえば、磁気ディスクまたは光ディスク）、揮発性メディア（たとえば、ランダムアクセスメモリなどのダイナミックメモリ）、ワイヤードメディア（たとえば、同軸ケーブル、バスを備えるワイヤを含む銅線、および光ファイバ）、ワイヤレスメディア（たとえば、無線周波数および電磁スペクトルにおける他のメディア）および機械可読媒体の他の形態を含む多くの形態を取ることができる。機械可読媒体の例は、一般にフロッピー（登録商標）ディスク、ハードディスク、磁気テープ、ＣＤ−ＲＯＭ、ＤＶＤ、およびコンピュータ可読媒体を含む。
【００８０】
本明細書で説明した様々な例示的なブロック、モジュール、要素、構成要素、方法、およびアルゴリズムは、電子的ハードウェア、コンピュータソフトウェア、または両方の組合せとして実装することができることを当業者なら諒解されよう。さらに、これらは、説明したこととは異なって分割できる。ハードウェアとソフトウェアのこの互換性を説明するために、様々な例示的なブロック、モジュール、要素、構成要素、方法、およびアルゴリズムについて、上記では概して、それらの機能に関して説明した。そのような機能をハードウェアとして実装するか、ソフトウェアとして実装するかは、特定の適用例および全体的なシステムに課される設計制約に依存する。当業者なら、説明した機能を特定の適用例ごとに様々な方法で実装することができる。
【００８１】
開示したプロセスにおけるステップまたはブロックの特定の順序または階層は、例示的な手法の一例であることが理解されよう。設計上の選好に基づいて、プロセスにおけるステップまたはブロックの特定の順序または階層は並べ替えることができることが理解されよう。添付の方法クレームは、様々なステップの要素を例示的な順序で提示したものであり、提示された特定の順序または階層に限定されるものではない。
【００８２】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。男性形の代名詞（たとえば、彼）は、女性および中性（たとえば、彼女およびそれ）を含み、その逆も同様である。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。
【図１】
2014042277.tif 000003
【図２】
2014042277.tif 000004
【図３】
2014042277.tif 000005
【図４】
2014042277.tif 000006
【図５】
2014042277.tif 000007
【図６】
2014042277.tif 000008
【図７】
2014042277.tif 000009
【図８】
2014042277.tif 000010
【図９】
2014042277.tif 000011
【図１０】
2014042277.tif 000012
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
制御チャネルとデータチャネルとを送信するワイヤレス端末のための送信を最適化する方法であって、前記制御チャネルおよび前記データチャネルの各々が複数のタイムスロットを備え、前記制御チャネルが、あらかじめ決定された送信期間とあらかじめ決定された非送信期間とを定義し、
少なくとも１つのデータチャネルタイムスロット中に送信するように少なくとも１つのデータパケットをスケジュールすることと、ここで、スケジュールすることが、前記少なくとも１つのデータチャネルタイムスロットが前記あらかじめ決定された非送信期間のうちの１つに並行するかどうかを判断することと、前記少なくとも１つのデータチャネルタイムスロットが前記あらかじめ決定された非送信期間のうちの１つに並行する場合、前記あらかじめ決定された送信期間のうちの１つに並行する少なくとも１つのデータチャネル中で送信するように前記少なくとも１つのデータパケットを再スケジュールすることとを含み、
前記あらかじめ決定された送信期間のうちの１つに並行する前記少なくとも１つのデータチャネルタイムスロット中に前記少なくとも１つのデータパケットを送信することと
を備える方法。
【手続補正２】
【補正対象書類名】明細書
【補正対象項目名】００８２
【補正方法】変更
【補正の内容】
【００８２】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。男性形の代名詞（たとえば、彼）は、女性および中性（たとえば、彼女およびそれ）を含み、その逆も同様である。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。
以下、本願の出願当初の特許請求の範囲に記載の発明を付記する。
[１]制御チャネルとデータチャネルとを送信し、前記制御チャネルおよび前記データチャネルの各々が複数のタイムスロットを備える、ワイヤレス端末のための送信を最適化する方法であって、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールすることと、
制御情報を送信するように構成された前記少なくとも１つのあらかじめ決定された制御チャネルタイムスロットに並行する前記少なくとも１つのデータチャネルタイムスロット中に前記少なくとも１つのデータパケットを送信することと
を備える方法。
[２]前記少なくとも１つのデータパケットが複数のデータパケットを備え、前記少なくとも１つのデータチャネルタイムスロットが、制御情報を送信するように構成された複数のあらかじめ決定された制御チャネルタイムスロットに並行する複数のデータチャネルタイムスロットを備える、上記［１］に記載の方法。
［３］少なくとも１つのデータパケットをスケジュールすることが、指定された非送信期間からあらかじめ決定された送信期間中の少なくとも１つのデータチャネルタイムスロットに、前記少なくとも１つのデータパケットを遅延させることを備える、上記［１］に記載の方法。
［４］少なくとも１つのデータパケットをスケジュールすることが、指定された非送信期間からあらかじめ決定された送信期間中の少なくとも１つのデータチャネルタイムスロットに、前記少なくとも１つのデータパケットを前進させることを備える、請求項１に記載の方法。
［５］あらかじめ決定された送信期間中の少なくとも１つのデータチャネルタイムスロットに２つ以上のデータパケットを連結することをさらに備える、上記［１］に記載の方法。
［６］複数のタイムスロットのうちの少なくとも１つの内でデータパケットを送信するワイヤレス端末のための送信を最適化する方法であって、
データパケットを２つ以上のサブパケットに分割することと、
別々の時間期間中に送信するように前記２つ以上のサブパケットの各々をスケジュールすることと、
前記別々の時間期間中に前記２つ以上のサブパケットを送信することと、ここで、前記別々の時間期間中に前記２つ以上のサブパケットを送信するために必要なエネルギーレベルが、分割される前の前記データパケットを送信するために必要なエネルギーレベルよりも小さい、
を備える方法。
［７］制御チャネルとデータチャネルとを送信し、前記制御チャネルおよび前記データチャネルの各々が複数のタイムスロットを備える、ワイヤレス端末からの送信を最適化するための、プロセッサが実行するための機械実行可能命令を有する機械可読媒体であって、前記実行される命令が、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールすることと、
制御情報を送信するように構成された前記少なくとも１つのあらかじめ決定された制御チャネルタイムスロットに並行する前記少なくとも１つのデータチャネルタイムスロット中に前記少なくとも１つのデータパケットを送信することと
を備えるステップを実施する、機械可読媒体。
［８］前記少なくとも１つのデータパケットが複数のデータパケットを備え、前記少なくとも１つのデータチャネルタイムスロットが、制御情報を送信するように構成された複数のあらかじめ決定された制御チャネル送信タイムスロットに並行する複数のデータチャネルタイムスロットを備える、上記［７］に記載の機械可読媒体。
［９］少なくとも１つのデータパケットをスケジュールすることが、指定された非送信期間からあらかじめ決定された送信期間中の少なくとも１つのデータチャネルタイムスロットに、前記少なくとも１つのデータパケットを遅延させることを備える、上記［７］に記載の機械可読媒体。
［１０］少なくとも１つのデータパケットをスケジュールすることが、指定された非送信期間からあらかじめ決定された送信期間中の少なくとも１つのデータチャネルタイムスロットに、前記少なくとも１つのデータパケットを前進させることを備える、上記［７］に記載の機械可読媒体。
［１１］前記実行される命令が、あらかじめ決定された送信期間中の少なくとも１つのデータチャネルタイムスロットに２つ以上のデータパケットを連結することをさらに備える、上記［７］に記載の機械可読媒体。
［１２］複数のタイムスロットのうちの少なくとも１つの内でデータパケットを送信するワイヤレス端末からの送信を最適化するための、プロセッサが実行するための機械実行可能命令を有する機械可読媒体であって、前記実行される命令が、
データパケットを２つ以上のサブパケットに分割することと、
別々の時間期間中に送信するように前記２つ以上のサブパケットの各々をスケジュールすることと、
前記別々の時間期間中に前記２つ以上のサブパケットを送信することと、ここで、前記別々の時間期間中に前記２つ以上のサブパケットを送信するために必要なエネルギーレベルが、分割される前の前記データパケットを送信するために必要なエネルギーレベルよりも小さい、
を備えるステップを実施する、機械可読媒体。
［１３］制御チャネルとデータチャネルとを送信し、前記制御チャネルおよび前記データチャネルの各々が複数のタイムスロットを備える、送信を最適化するためのワイヤレス端末デバイスであって、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールするための手段と、
送信するための前記少なくとも１つのデータパケットを記憶するための手段と、
制御情報を送信するように構成された前記少なくとも１つのあらかじめ決定された制御チャネルタイムスロットに並行する前記少なくとも１つのデータチャネルタイムスロット中に前記少なくとも１つのデータパケットを送信するための手段と
を備えるワイヤレス端末デバイス。
［１４］前記記憶するための手段が少なくとも１つのキューを備え、さらに、前記少なくとも１つのデータパケットが、送信前に前記少なくとも１つのキューに記憶される、上記［１３］に記載のデバイス。
［１５］前記パケットをスケジュールするための手段がセレクタを備え、前記記憶するための手段が少なくとも１つのキューを備え、前記少なくとも１つのキューが、指定された非送信期間からあらかじめ決定された送信期間にパケットを遅延させるためのデータチャネルタイムスロットに対応し、前記セレクタが、前記少なくとも１つのキューに記憶するための前記少なくとも１つのデータパケットを選択する、上記［１３］に記載のデバイス。
［１６］前記パケットをスケジュールするための手段がセレクタを備え、前記記憶するための手段が少なくとも１つのキューを備え、前記少なくとも１つのキューが、指定された非送信期間からあらかじめ決定された送信期間にパケットを前進させるためのデータチャネルタイムスロットに対応し、前記セレクタが、前記少なくとも１つのキューに記憶するための前記少なくとも１つのデータパケットを選択する、上記［１３］に記載のデバイス。
［１７］前記パケットをスケジュールするための手段がセレクタを備え、前記記憶するための手段が少なくとも１つのキューを備え、前記少なくとも１つのキューが、あらかじめ決定された送信期間中のデータチャネルタイムスロットに対応し、前記セレクタが、前記少なくとも１つのキュー中の２つ以上のデータパケットを選択し、連結する、上記［１３］に記載のデバイス。
［１８］複数のタイムスロットを備えるデータチャネルを送信する、送信を最適化するためのワイヤレス端末デバイスであって、
セレクタを使用して少なくとも１つのデータパケットを処理するための手段と、
前記セレクタが、入力ポートと出力ポートとを備え、前記セレクタが、機械可読媒体から前記入力ポートを通して前記少なくとも１つのデータパケットを受信することと、前記プロセッサからの命令に基づいて前記少なくとも１つのデータパケットを２つ以上のサブパケットに分割することと、前記２つ以上のサブパケットを記憶するように構成された複数のキューのうちの少なくとも１つに、前記出力ポートを通して前記２つ以上のサブパケットの各々を送信することとを行うように構成され、
別々の時間期間中に前記２つ以上のサブパケットを送信するための手段と、ここで、前記別々の時間期間中に前記２つ以上のサブパケットを送信するために必要なエネルギーレベルが、分割される前のある時間期間における前記少なくとも１つのデータパケットを送信するために必要なエネルギーレベルよりも小さい、
を備えるワイヤレス端末デバイス。
［１９］制御チャネルとデータチャネルとを送信し、前記制御チャネルおよび前記データチャネルの各々が複数のタイムスロットを備える、送信を最適化するためのワイヤレス端末デバイスであって、
制御情報を送信するように構成された少なくとも１つのあらかじめ決定された制御チャネルタイムスロットに並行する少なくとも１つのデータチャネルタイムスロット中に送信するように少なくとも１つのデータパケットをスケジュールするように構成されたプロセッサと、
制御情報を送信するように構成された少なくとも１つのあらかじめ決定された制御チャネル送信タイムスロットに並行する前記少なくとも１つのデータチャネルタイムスロット中に前記少なくとも１つのデータパケットを送信するように構成された送信モジュールと
を備えるワイヤレス端末デバイス。
［２０］少なくとも１つのキューをさらに備え、前記少なくとも１つのデータパケットが、送信する前に前記少なくとも１つのキューに記憶される、上記［１９］に記載のワイヤレス端末デバイス。
［２１］セレクタをさらに備え、前記プロセッサが、前記少なくとも１つのキューに記憶するための前記少なくとも１つのデータパケットを選択するように前記セレクタを操作するように構成され、前記少なくとも１つのキューが、指定された非送信期間からあらかじめ決定された送信期間にパケットを遅延させるためのデータチャネルタイムスロットに対応する、上記［２０］に記載のワイヤレス端末デバイス。
［２２］セレクタをさらに備え、前記プロセッサが、前記少なくとも１つのキューに記憶するための前記少なくとも１つのデータパケットを選択するように前記セレクタを操作するように構成され、前記少なくとも１つのキューが、指定された非送信期間からあらかじめ決定された送信期間にパケットを前進させるためのデータチャネルタイムスロットに対応する、上記［２０］に記載のワイヤレス端末デバイス。
［２３］セレクタをさらに備え、前記少なくとも１つのキューが、あらかじめ決定された送信期間中のデータチャネルタイムスロットに対応し、前記セレクタが、あらかじめ決定された送信期間中に送信するための前記少なくとも１つのキュー中の２つ以上のデータパケットを選択し、連結する、上記［２０］に記載のワイヤレス端末デバイス。
［２４］複数のタイムスロットを備えるデータチャネルを送信するように構成された、送信エネルギーを温存するためのワイヤレス端末デバイスであって、
セレクタを使用して少なくとも１つのデータパケットを処理するように構成されたプロセッサと、
前記セレクタが、入力ポートと出力ポートとを備え、前記セレクタが、機械可読媒体から前記入力ポートを通してデータパケットを受信することと、前記プロセッサからの命令に基づいて前記少なくとも１つのデータパケットを２つ以上のサブパケットに分割することと、前記２つ以上のサブパケットを記憶するように構成された複数のキューのうちの少なくとも１つに、前記出力ポートを通して前記２つ以上のサブパケットを送信することとを行うように構成され、
前記プロセッサからの命令に基づいて別々の時間期間中に送信するように前記２つ以上のサブパケットをスケジュールするように構成され、前記別々の時間期間中に前記２つ以上のサブパケットを送信するようにさらに構成された送信モジュールと、ここで、前記別々の時間期間中に前記２つ以上のサブパケットを送信するために必要なエネルギーレベルが、分割される前のある時間期間における前記少なくとも１つのデータパケットを送信するために必要なエネルギーレベルよりも小さい、
を備えるワイヤレス端末デバイス。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
複数のタイムスロットのうちの少なくとも１つの内でデータパケットを送信するワイヤレス端末のための送信を最適化する方法であって、前記ワイヤレス端末が、異なるデータ量の送信について異なる電力レベルを確定するプロトコルに準拠し、
データパケットがしきい値を超えるデータ量を含むとき、前記しきい値を超えるデータ量を個々に含まないような２つ以上のサブパケットに前記データパケットを分割することと、
別々の時間期間中に送信するように前記２つ以上のサブパケットの各々をスケジュールすることと、
前記別々の時間期間中に前記２つ以上のサブパケットを送信することと、ここで、前記データパケットは前記しきい値を超えるデータ量を含み、前記２つ以上のサブパケットは前記しきい値を超えるデータ量を個々に含まないので、前記プロトコルによって定義された前記別々の時間期間中に前記２つ以上のサブパケットを送信するために必要なエネルギーレベルが、分割される前の前記データパケットを送信するために必要なエネルギーレベルよりも小さい、
を備える方法。
【請求項２】
前記２つ以上のサブパケットは、サイズが等しい、請求項１記載の方法。
【請求項３】
前記２つ以上のサブパケットは、サイズが等しくない、請求項１記載の方法。
【請求項４】
前記２つ以上のサブパケットは、第１のサブパケット及び第２のサブパケットを含み、前記第１のサブパケットは、第１のデータチャネルタイムスロットを表す第１のキューに送信され、前記第２のサブパケットは、第２のデータチャネルタイムスロットを表す第２のキューに送信される、請求項１記載の方法。
【請求項５】
前記２つ以上のサブパケットのうちの少なくとも１つの送信は、アップリンク制御チャネルタイムスロットに並行するデータチャネルタイムスロットに前進させられる、請求項１記載の方法。
【請求項６】
前記２つ以上のサブパケットのうちの少なくとも１つの送信は、アップリンク制御チャネルタイムスロットに並行するデータチャネルタイムスロットに遅延させられる、請求項１記載の方法。
【請求項７】
複数のタイムスロットのうちの少なくとも１つの内でデータパケットを送信するワイヤレス端末からの送信を最適化するための、プロセッサが実行するための機械実行可能命令を有する機械可読媒体であって、前記ワイヤレス端末が、異なるデータ量の送信について異なる電力レベルを確定するプロトコルに準拠し、前記実行される命令が、
データパケットがしきい値を超えるデータ量を含むとき、前記しきい値を超えるデータ量を個々に含まないような２つ以上のサブパケットに前記データパケットを分割することと、
別々の時間期間中に送信するように前記２つ以上のサブパケットの各々をスケジュールすることと、
前記別々の時間期間中に前記２つ以上のサブパケットを送信することと、ここで、前記データパケットは前記しきい値を超えるデータ量を含み、前記２つ以上のサブパケットは前記しきい値を超えるデータ量を個々に含まないので、前記プロトコルによって定義された前記別々の時間期間中に前記２つ以上のサブパケットを送信するために必要なエネルギーレベルが、分割される前の前記データパケットを送信するために必要なエネルギーレベルよりも小さい、
を備えるステップを実施する、機械可読媒体。
【請求項８】
前記２つ以上のサブパケットは、サイズが等しい、請求項７記載の機械可読媒体。
【請求項９】
前記２つ以上のサブパケットは、サイズが等しくない、請求項７記載の機械可読媒体。
【請求項１０】
前記２つ以上のサブパケットは、第１のサブパケット及び第２のサブパケットを含み、前記第１のサブパケットは、第１のデータチャネルタイムスロットを表す第１のキューに送信され、前記第２のサブパケットは、第２のデータチャネルタイムスロットを表す第２のキューに送信される、請求項７記載の機械可読媒体。
【請求項１１】
前記２つ以上のサブパケットのうちの少なくとも１つの送信は、アップリンク制御チャネルタイムスロットに並行するデータチャネルタイムスロットに前進させられる、請求項７記載の機械可読媒体。
【請求項１２】
前記２つ以上のサブパケットのうちの少なくとも１つの送信は、アップリンク制御チャネルタイムスロットに並行するデータチャネルタイムスロットに遅延させられる、請求項７記載の機械可読媒体。
【請求項１３】
複数のタイムスロットを備えるデータチャネルを送信する、送信を最適化するためのワイヤレス端末デバイスであって、異なるデータ量の送信について異なる電力レベルを確定するプロトコルに準拠し、
セレクタを使用して少なくとも１つのデータパケットを処理するための手段と、
前記セレクタが、入力ポートと出力ポートとを備え、前記セレクタが、機械可読媒体から前記入力ポートを通して前記少なくとも１つのデータパケットを受信することと、前記データパケットがしきい値を超えるデータ量を含むとき、前記プロセッサからの命令に基づいて前記しきい値を超えるデータ量を個々に含まないような２つ以上のサブパケットに前記少なくとも１つのデータパケットを分割することと、前記２つ以上のサブパケットを記憶するように構成された複数のキューのうちの少なくとも１つに、前記出力ポートを通して前記２つ以上のサブパケットの各々を送信することとを行うように構成され、
別々の時間期間中に前記２つ以上のサブパケットを送信するための手段と、ここで、前記データパケットは前記しきい値を超えるデータ量を含み、前記２つ以上のサブパケットは前記しきい値を超えるデータ量を個々に含まないので、前記プロトコルによって定義された前記別々の時間期間中に前記２つ以上のサブパケットを送信するために必要なエネルギーレベルが、分割される前のある時間期間における前記少なくとも１つのデータパケットを送信するために必要なエネルギーレベルよりも小さい、
を備えるワイヤレス端末デバイス。
【請求項１４】
前記２つ以上のサブパケットは、サイズが等しい、請求項１３記載のワイヤレス端末デバイス。
【請求項１５】
前記２つ以上のサブパケットは、サイズが等しくない、請求項１３記載のワイヤレス端末デバイス。
【請求項１６】
前記２つ以上のサブパケットは、第１のサブパケット及び第２のサブパケットを含み、前記第１のサブパケットは、第１のデータチャネルタイムスロットを表す第１のキューに送信され、前記第２のサブパケットは、第２のデータチャネルタイムスロットを表す第２のキューに送信される、請求項１３記載のワイヤレス端末デバイス。
【請求項１７】
前記２つ以上のサブパケットのうちの少なくとも１つの送信は、アップリンク制御チャネルタイムスロットに並行するデータチャネルタイムスロットに前進させられる、請求項１３記載のワイヤレス端末デバイス。
【請求項１８】
前記２つ以上のサブパケットのうちの少なくとも１つの送信は、アップリンク制御チャネルタイムスロットに並行するデータチャネルタイムスロットに遅延させられる、請求項１３記載のワイヤレス端末デバイス。
【請求項１９】
複数のタイムスロットを備えるデータチャネルを送信するように構成された、送信エネルギーを温存するためのワイヤレス端末デバイスであって、異なるデータ量の送信について異なる電力レベルを確定するプロトコルに準拠し、
セレクタを使用して少なくとも１つのデータパケットを処理するように構成されたプロセッサと、
前記セレクタが、入力ポートと出力ポートとを備え、前記セレクタが、機械可読媒体から前記入力ポートを通してデータパケットを受信することと、前記データパケットがしきい値を超えるデータ量を含むとき、前記プロセッサからの命令に基づいて前記しきい値を超えるデータ量を個々に含まないような２つ以上のサブパケットに前記少なくとも１つのデータパケットを分割することと、前記２つ以上のサブパケットを記憶するように構成された複数のキューのうちの少なくとも１つに、前記出力ポートを通して前記２つ以上のサブパケットを送信することとを行うように構成され、
前記プロセッサからの命令に基づいて別々の時間期間中に送信するように前記２つ以上のサブパケットをスケジュールするように構成され、前記別々の時間期間中に前記２つ以上のサブパケットを送信するようにさらに構成された送信モジュールと、ここで、前記データパケットは前記しきい値を超えるデータ量を含み、前記２つ以上のサブパケットは前記しきい値を超えるデータ量を個々に含まないので、前記プロトコルによって定義された前記別々の時間期間中に前記２つ以上のサブパケットを送信するために必要なエネルギーレベルが、分割される前のある時間期間における前記少なくとも１つのデータパケットを送信するために必要なエネルギーレベルよりも小さい、
を備えるワイヤレス端末デバイス。
【請求項２０】
前記２つ以上のサブパケットは、サイズが等しい、請求項１９記載のワイヤレス端末デバイス。
【請求項２１】
前記２つ以上のサブパケットは、サイズが等しくない、請求項１９記載のワイヤレス端末デバイス。
【請求項２２】
前記２つ以上のサブパケットは、第１のサブパケット及び第２のサブパケットを含み、前記第１のサブパケットは、第１のデータチャネルタイムスロットを表す第１のキューに送信され、前記第２のサブパケットは、第２のデータチャネルタイムスロットを表す第２のキューに送信される、請求項１９記載のワイヤレス端末デバイス。
【請求項２３】
前記２つ以上のサブパケットのうちの少なくとも１つの送信は、アップリンク制御チャネルタイムスロットに並行するデータチャネルタイムスロットに前進させられる、請求項１９記載のワイヤレス端末デバイス。
【請求項２４】
前記２つ以上のサブパケットのうちの少なくとも１つの送信は、アップリンク制御チャネルタイムスロットに並行するデータチャネルタイムスロットに遅延させられる、請求項１９記載のワイヤレス端末デバイス。
【外国語明細書】
2014042277000001.pdf